(57)【要約】【課題】軸筒の前後端部からの筆記部およびノック部の突出動作、収納動作が円滑になされ、かつ筆記芯の円滑な繰り出し動作を実現することができるシャープペンシルを提供すること。【解決手段】軸筒に対して相対的に軸回りの回転操作が可能な操作部３と、この操作部の回転操作に基づいて回転運動を受けるガイド筒１２と、このガイド筒に軸方向に移動可能に配置された第１と第２の摺動コマ１６，１８と、前記ガイド筒の回転運動に伴って前記第１と第２の摺動コマを軸方向に移動させる第１と第２のカム部材１６，１７とが備えられる。前記第１の摺動コマ１６にシャープペンシルユニットが接続され、前記第２の摺動コマ１８にノック部２１が接続される。【選択図】図８
2013039743.tif 000002
【特許請求の範囲】
【請求項１】
軸筒に対して相対的に軸回りの回転操作が可能な操作部と、前記操作部の回転操作に基づいて回転運動を受ける前記軸筒内に収容されたガイド筒と、前記ガイド筒に軸方向に移動可能に配置された第１と第２の摺動コマと、前記ガイド筒の回転運動に伴って前記第１と第２の摺動コマを軸方向に移動させる第１と第２のカム部材とが備えられ、
前記ガイド筒の一方向の回転運動に基づいて前記第１と第２の摺動コマが、前記第１と第２のカム部材のカム面に沿って互いに離れた状態になされる第１状態と、前記ガイド筒の他方向の回転運動に基づいて前記第１と第２の摺動コマが、前記第１と第２のカム部材のカム面に沿って互いに接近した状態になされる第２状態が選択されるように構成され、  前記第１状態においては、前記第１の摺動コマに接続されたシャープペンシルユニットの筆記部および前記第２の摺動コマに接続されたノック部が、前記軸筒の前端部および後端部よりそれぞれ突出した状態になされ、この状態で前記ノック部をノック操作することで、前記第１と第２のカム部材、前記第１と第２の摺動コマが前記シャープペンシルユニットと共に前進動作するように構成したことを特徴とするシャープペンシル。
【請求項２】
前記第１と第２のカム部材が前記軸筒内に配置され、前記カム部材の外周面と軸筒の内周面のいずれか一方には軸方向に沿って突出するリブが形成されると共に、他方には軸方向に沿って溝部が形成され、前記溝部内に前記リブが収容されることで、前記第１と第２のカム部材が前記軸筒内において軸方向に摺動可能に配置されていることを特徴とする請求項１に記載されたシャープペンシル。
【請求項３】
前記シャープペンシルユニットの前半部を覆うと共に、当該シャープペンシルユニットの筆記部が突出できる先口を開口した先口部材が軸筒内に配置され、前記先口部材内には前記ノック部のノック操作に基づくシャープペンシルユニットの前進動作を拒む当接部が形成され、前記シャープペンシルユニットの一部が前記当接部に当接することで、筆記芯の繰り出しがなされるように構成したことを特徴とする請求項１または請求項２に記載されたシャープペンシル。
【請求項４】
前記第１と第２のカム部材は、円筒状に形成されて前記ガイド筒を軸芯にして軸方向に摺動可能に配置され、かつ前記カム面は第１と第２のカム部材の軸方向の両端面においてそれぞれ両外側に向いて形成されると共に、それぞれ周方向に平坦なカム底面と、当該カム底面に続いて周方向に沿って傾斜面にされたカム斜面と、当該カム斜面に続いて周方向に平坦なカム頂面とが備えられ、前記第１と第２の摺動コマが前記カム頂面にそれぞれ当接することで前記第１状態になされ、前記第１と第２の摺動コマが前記カム底面にそれぞれ当接することで前記第２状態になされることを特徴とする請求項１ないし請求項３のいずれか１項に記載されたシャープペンシル。
【請求項５】
前記第１と第２のカム部材における周方向に平坦なカム頂面には、前記第１と第２の摺動コマの尖形部が落ち込む凹状部がそれぞれ形成されていることを特徴とする請求項４に記載されたシャープペンシル。
【請求項６】
前記ガイド筒内には、前記第１と第２の摺動コマを前記第１と第２のカム部材のカム面に向けて付勢する第１と第２のばね部材が収容されていることを特徴とする請求項１ないし請求項５のいずれか１項に記載されたシャープペンシル。
【発明の詳細な説明】
【技術分野】
【０００１】
この発明は、操作部の回転操作により筆記部とノック部とが軸筒の前後からそれぞれ突出されると共に、前記ノック部のノック操作により、筆記部から筆記芯が繰り出されるように構成したシャープペンシルに関する。
【背景技術】
【０００２】
ノック式のシャープペンシルは、軸筒の前後に筆記部とノック部とがそれぞれ突出した状態で配置された構成が主流であり、このような構成のシャープペンシルによると、これをペンケースなどに収納した場合、前記ノック部が不用意に押圧されて誤作動を起こしたり、先端の鋭い筆記部がペンケース内に当たって損傷を与えるなどの問題を招くことがある。
そこで、未使用時には前記筆記部およびノック部を軸筒内に収容することが可能なシャープペンシルが、特許文献１〜３に開示されている。
【先行技術文献】
【特許文献】
【０００３】
【特許文献１】実公平４−３２３０６号公報
【特許文献２】実開平４−９０５９１号公報
【特許文献３】特開２００６−２４８０６８号公報
【発明の概要】
【発明が解決しようとする課題】
【０００４】
ところで、特許文献１に開示されたシャープペンシルによると、軸筒内に配置されたカム筒に、縦溝部とその両端に連続して形成された斜溝部とによりガイド溝が形成され、筆記部側の第１のカム突起と、ノック部側の第２のカム突起が、前記ガイド溝に入り込んだ構成にされている。
この構成によると、第１と第２のカム突起が細いガイド溝内を摺動するために、円滑な摺動動作が保証し難く、動作の安定性に欠けるという問題を抱えている。
【０００５】
また、特許文献２に開示されたシャープペンシルによると、軸筒の後端部を構成する鞘を回転させることで、後カムが前カムの斜面に沿って回転移動し、これにより筆記部が軸筒内から突出するようになされ、さらに鞘を回転させることで、今度は前カムの斜面に沿って後カムが後退し、これによりノック部が軸筒内から突出するようになされる。
この構成によると、筆記部およびノック部を軸筒から突出させるタイミングおよび回転力がそれぞれ異なるために、繰り出し操作に違和感が生じ、また内鞘を内カムに当接させて筆記芯を繰り出す方式であるために、ノック操作の繰り返しにより、内鞘もしくは内カムが衝撃を受けて損傷し易いという構造上の欠陥がある。
【０００６】
さらに、特許文献３に開示されたシャープペンシルによると、後軸の回転操作により円筒状の回転子が回転され、このとき回転子の内部に配置された円筒状の押し棒が前進することによって、シャープペンシルユニットが軸筒内を前進し、筆記可能状態になされる。
この構成によると、前記押し棒によってシャープペンシルユニットを軸筒内で前進させて繰り出すように作用するが、繰り出し部分の機構部の部品点数が多く、これにより全体が大型化すると共に、シャープペンシルユニット（リフィール）の取り付け操作が難かしくなるなどの課題を残すものとなる。
【０００７】
この発明は、前記した各特許文献に開示されたシャープペンシルにおける問題点を解消すると共に、軸筒の前端部および後端部における筆記部とノック部の突出動作、また筆記部とノック部の収納動作が円滑になされ、さらにノック操作による筆記芯の繰り出し動作を単純化させて、筆記芯の円滑な繰り出し動作を実現することができるシャープペンシルを提供することを課題とするものである。
【課題を解決するための手段】
【０００８】
前記した課題を解決するためになされたこの発明に係るシャープペンシルは、軸筒に対して相対的に軸回りの回転操作が可能な操作部と、前記操作部の回転操作に基づいて回転運動を受ける前記軸筒内に収容されたガイド筒と、前記ガイド筒に軸方向に移動可能に配置された第１と第２の摺動コマと、前記ガイド筒の回転運動に伴って前記第１と第２の摺動コマを軸方向に移動させる第１と第２のカム部材とが備えられ、前記ガイド筒の一方向の回転運動に基づいて前記第１と第２の摺動コマが、前記第１と第２のカム部材のカム面に沿って互いに離れた状態になされる第１状態と、前記ガイド筒の他方向の回転運動に基づいて前記第１と第２の摺動コマが、前記第１と第２のカム部材のカム面に沿って互いに接近した状態になされる第２状態が選択されるように構成され、前記第１状態においては、前記第１の摺動コマに接続されたシャープペンシルユニットの筆記部および前記第２の摺動コマに接続されたノック部が、前記軸筒の前端部および後端部よりそれぞれ突出した状態になされ、この状態で前記ノック部をノック操作することで、前記第１と第２のカム部材、前記第１と第２の摺動コマが前記シャープペンシルユニットと共に前進動作するように構成したことを特徴とする。
【０００９】
この場合、好ましい形態においては、前記第１と第２のカム部材が前記軸筒内に配置され、前記カム部材の外周面と軸筒の内周面のいずれか一方には軸方向に沿って突出するリブが形成されると共に、他方には軸方向に沿って溝部が形成され、前記溝部内に前記リブが収容されることで、前記第１と第２のカム部材が前記軸筒内において軸方向に摺動可能に配置される。
【００１０】
また好ましくは、前記シャープペンシルユニットの前半部を覆うと共に、当該シャープペンシルユニットの筆記部が突出できる先口を開口した先口部材が軸筒内に配置され、前記先口部材内には前記ノック部のノック操作に基づくシャープペンシルユニットの前進動作を拒む当接部が形成され、前記シャープペンシルユニットの一部が前記当接部に当接することで、筆記芯の繰り出しがなされるように構成される。
【００１１】
加えて好ましい形態においては、前記第１と第２のカム部材は、円筒状に形成されて前記ガイド筒を軸芯にして軸方向に摺動可能に配置され、かつ前記カム面は第１と第２のカム部材の軸方向の両端面においてそれぞれ両外側に向いて形成されると共に、それぞれ周方向に平坦なカム底面と、当該カム底面に続いて周方向に沿って傾斜面にされたカム斜面と、当該カム斜面に続いて周方向に平坦なカム頂面とが備えられ、前記第１と第２の摺動コマが前記カム頂面にそれぞれ当接することで前記第１状態になされ、前記第１と第２の摺動コマが前記カム底面にそれぞれ当接することで前記第２状態になされる。尚、第１と第２のカム部材は、射出形成等で一体にして形成してもよい。
【００１２】
この場合、前記第１と第２のカム部材における周方向に平坦なカム頂面には、前記第１と第２の摺動コマの尖形部が落ち込む凹状部がそれぞれ形成されていることが望ましい。
【００１３】
さらに前記ガイド筒内には、前記第１と第２の摺動コマを前記第１と第２のカム部材のカム面に向けて付勢する第１と第２のばね部材が収容されていることが望ましい。
【発明の効果】
【００１４】
前記した構成のシャープペンシルによると、シャープペンシルユニット（リフィール）が接続された第１の摺動コマと、ノック部が接続された第２の摺動コマが、第１と第２のカム部材のカム面に沿って互いに離れた状態になされることで、筆記部およびノック部が前記軸筒の前後よりそれぞれ突出される。この状態において前記ノック部をノック操作することで、前記第１と第２のカム部材、前記第１と第２の摺動コマが前記シャープペンシルユニットと共に前進動作する。
【００１５】
したがって、第１と第２のカム部材、第１と第２の摺動コマの対称的な組み合わせにより、筆記部およびノック部の突出動作およびその戻し動作を実現させることができ、動作を円滑にすることができる。
また、第１と第２のカム部材、第１と第２の摺動コマの主要な構成部分が前記シャープペンシルユニットと共にノック部のノック操作に応じて前後動し、この動作により筆記部から筆記芯が繰り出される。したがって、筆記芯の繰り出し動作を単純化することができ、筆記芯の円滑な繰り出し動作を実現することができる。
【図面の簡単な説明】
【００１６】
【図１】この発明に係るシャープペンシルについて、筆記部およびノック部が軸筒内に収容された第２状態における全体構成を示した中央断面図である。
【図２】同じく筆記部およびノック部が軸筒の前後に突出した第１状態における全体構成を示した中央断面図である。
【図３】先軸の単体構成を示した中央断面図である。
【図４】先軸内に収容される先筒の構成を示した正面図および中央断面図である。
【図５】先筒内に収容される口先部材の構成を示した中央断面図である。
【図６】後軸の単体構成を示した中央断面図である。
【図７】摺動コマ駆動ユニットの第２状態を示した斜視図および正面図である。
【図８】摺動コマ駆動ユニットの第１状態を示した斜視図および正面図である。
【図９】ガイド筒の斜視図および中央断面図である。
【図１０】第１摺動コマの斜視図および断面図である。
【図１１】第２摺動コマの斜視図および断面図である。
【図１２】第１カム部材の斜視図および正面図である。
【図１３】第２カム部材の斜視図および正面図である。
【図１４】シャープペンシルユニットの外観図および中央断面図である。
【図１５】ボールペンリフィールの外観図および中央断面図である。
【発明を実施するための形態】
【００１７】
この発明に係るシャープペンシルについて、図に示す実施の形態に基づいて説明する。
図１および図２に示したとおり、この実施の形態におけるシャープペンシルの外観は単純な円柱状に構成されており、外郭を構成する軸筒は先軸１および後軸２より構成され、後軸２の後端部には、相対的に軸回りの回転操作が可能な円筒状の操作部３が取り付けられている。
なお、図１は筆記部およびノック部が軸筒内に収容された第２状態を示し、図２は筆記部およびノック部が軸筒の前後に突出した第１状態を示している。そして、図１に示した状態に対して図２は軸回りに９０度回転させた状態で示している。
【００１８】
以下においては図１および図２に示す全体構成を主体にして説明すると共に、その他の各図を用いて、各構成部材の詳細な構成について個々に説明する。
図１および図２に示すように、前記先軸１の内周面には円筒状に形成された先筒５が嵌合されて取り付けられている。図３に前記先軸１の単体構成を中央断面図で示しており、図４に先軸１内に収容された先筒５の外観構成および中央断面図が示されている。
なお、図４において（Ａ）は先筒５の正面図であり、（Ｂ）は（Ａ）に示された状態の先筒５の縦断面図である。また（Ｃ）は（Ａ）に示された状態に対して軸回りに９０度回転した状態で示す先筒５の上面図であり、（Ｄ）は（Ｃ）に示された状態の先筒５の縦断面図である。
【００１９】
図３に示すように、前記先軸１の前端部には後述するシャープペンシルユニット（リフィール）の筆記部を突出させるための丸孔状の開口１ａが形成されており、また先軸１の内周面には軸方向の前端部からほぼ中央部に至るように直線状のリブ１ｂが形成されている。なお、この実施の形態おいては、前記リブ１ｂは先軸１の内周面における１８０度対向する位置にも形成され、合わせて２本のリブ１ｂが形成されている。
また、前記先軸１の内周面における後端部近傍には内周面に沿って突出する環状のリブ１ｃが形成されている。
【００２０】
一方、図４（Ａ）に示すように前記先筒５には、その外周面に軸方向の前端部からほぼ中央部に至るようにして直線状の溝５ａが形成されている。なお、この溝５ａは先筒５の背中合わせの外周面にも同様に形成されている。また先筒５の外周面の中央部よりも若干後方寄りには、外周面に沿って突出する環状のリブ５ｂが形成されている。
さらに、先筒５の後端部外周面には、雄ねじ５ｃが施されている。この雄ねじ５ｃは、前記した後軸２の内周面に形成された後述する雌ねじに螺合して両者が分離可能に連結される機能を果たす。
【００２１】
前記した構成において、前記先軸１の後端部から前記先筒５を挿入し、前記リブ１ｂに溝５ａを合わせて前記先筒５を先軸１内に押し込むことで、先軸１内に先筒５を嵌合させることができる。この時、先筒５の外周面に形成された環状のリブ５ｂが、先軸１の内周面に形成された環状のリブ１ｃの奥側に入り込み、これにより両者は嵌合状態で結合される。
なお、図４（Ｂ）および（Ｄ）に示されているように、前記先筒５の前端側の内周面には、軸方向に沿って６本のリブ５ｄが周方向に等間隔に配置されている。このリブ５ｄは、後述する口先部材の外周面に対して線状に接することで、口先部材が軸方向に円滑に摺動できるように作用する。
【００２２】
また、図４（Ｂ）および（Ｄ）に示されているように、前記リブ５ｄ上のさらに軸芯側には突出部５ｅが形成されており、この突出部５ｅは後述する口先部材を軸方向の後部側に付勢するばね部材の一端部を係止するように作用する。
さらに図４（Ｄ）に示されているように、先筒５の内周面のほぼ中央部には、段部５ｆが形成されており、これは後述する口先部材の軸方向の移動を規制する当接部として作用する。
【００２３】
図１および図２に戻り、前記先筒５内にはさらに口先部材６が収容されている。この口先部材６は前記した先筒５内において、ある程度の範囲で軸方向に移動できるように配置されており、この口先部材６内にはシャープペンシルユニット７の前半部が収容されている。そして、前記口先部材６は、図１および図２に示すばね部材８によって軸方向の後方に向かって付勢されている。
【００２４】
前記口先部材６は、図５に断面図で示したとおり円筒状に形成され、その前端部には前記シャープペンシルユニット７の筆記部７ａが突出できる先口６ａが開口されている。また先口６ａの直後には環状の当接部６ｂが形成され、前記シャープペンシルユニット７がノック操作を受けて前進動作をした時に、ユニット７の先端部が前記当接部６ｂに当接して筆記芯の繰り出し動作がなされるように作用する。
【００２５】
また、口先部材６における長さ方向の中央部には、外径を異にする環状の段部６ｃが形成されており、この段部６ｃは前記ばね部材８の他端部を受けるものである。すなわち、前記ばね部材８は、先筒５の内面に形成された突出部５ｅと、口先部材６の前記段部６ｃとの間に介在され、これにより口先部材６を軸方向の後方に向かって付勢するように作用する。
なお、図１および図２に示すように、前記先筒５内には円筒状に形成されたストッパ９が嵌め込まれており、先筒５内に収容され前記ばね部材８によって後方に向かって付勢される前記口先部材６は、前記ストッパ９によって後退位置が規制されている。
【００２６】
さらに、前記口先部材６の後端部には外側に向かって鍔状部材６ｄが形成されている。この鍔状部材６ｄは前記シャープペンシルユニット７がノック操作を受けて前進動作をした時に、口先部材６も前進動作をするものの、前記した先筒５の内周面に形成された段部５ｆに当接して口先部材６の軸方向の移動を制限するように作用する。
【００２７】
図６は前記した後軸２を断面図で示したものであり、この後軸２の前端側の内周面には雌ねじ２ａが施されている。この雌ねじ２ａは、前記先軸１に嵌合された先筒５の雄ねじ５ｃに螺合するものであり、両者の螺合により先軸１と後軸２とが分離可能に連結されている。また図６に示すように、後軸２の内周面における中央部から後部寄りの範囲には、軸方向に沿って突出する直線状のリブ２ｂが形成されている。このリブ２ｂは、後軸２内に収容される後述する第１と第２のカム部材が軸方向にのみ移動できるガイドとして作用する。
【００２８】
さらに後軸２の後端側の内周面には、環状のリブ２ｃが形成されている。この環状のリブ２ｃは次に説明する摺動コマ駆動ユニット１１を構成する円筒状に形成された操作部３が回転可能に装着され、操作部３を含む摺動コマ駆動ユニット１１が脱落しないように係止する機能を果たす。
【００２９】
図７および図８は、摺動コマ駆動ユニット１１を組み立て状態で示したものであり、図７は第１と第２の摺動コマが第１と第２のカム部材のカム面に沿って互いに接近した第２状態、すなわち図１に示した状態を示している。また、図８は第１と第２の摺動コマが第１と第２のカム部材のカム面に沿って互いに離れた第１状態、すなわち図２に示した状態を示している。
なお、図７および図８における（Ａ）は、摺動コマ駆動ユニット１１を斜視図で示したものであり、図７および図８における（Ｂ）は、摺動コマが前面側に位置した状態の正面図で示している。
【００３０】
図７および図８に示すように、前記摺動コマ駆動ユニット１１には、ガイド筒１２が備えられている。このガイド筒１２の単体構成は図９に示されている。すなわち図９（Ａ）はガイド筒１２を斜視図で示したものであり、図９（Ｂ）はガイド筒１２に施された割溝部分における断面図で示している。
【００３１】
このガイド筒１２は、前端部に鍔状の大径部１２ａが形成されており、この大径部１２ａには開口１２ｂが形成され、この開口１２ｂに前記したシャープペンシルユニット７の後端部が挿入できるように構成されている。また、前記大径部１２ａを除くガイド筒１２の後端側には、軸方向に直線状の割溝１２ｃが施されている。
【００３２】
そして、図７および図８に示すように、ガイド筒１２の後端部側から、第１ばね部材１４が挿入され、続いて割溝１２ｃに沿って第１摺動コマ１５が挿入される。また、ガイド筒１２の外周面に沿って円筒状の第１カム部材１６が装着され、続いてガイド筒１２の外周面に沿って円筒状の第２カム部材１７が装着される。さらに前記割溝１２ｃに沿って第２摺動コマ１８が挿入され、続いて第２ばね部材１９が挿入される。
最後に円筒状に形成された前記した操作部３における前端側の小径部３ａが、前記ガイド筒１２の後端部に被さるようにして嵌合され、これにより前記した摺動コマ駆動ユニット１１が組み立てられている。
【００３３】
図１０は、前記した摺動コマ駆動ユニット１１を構成する第１摺動コマ１５を斜視図および断面図で示したものである。この第１摺動コマ１５には、前記したガイド筒１２内に摺動する円筒部１５ａと、この円筒部１５ａの前端部の周面に形成され、前記ガイド筒１２の割溝１２ｃに沿って移動するガイド突起１５ｂとが備えられ、ガイド突起１５ｂの後端側は尖形部１５ｃになされ、この尖形部１５ｃが前記第１カム部材１６の後述するカム面に摺動するように構成されている。
【００３４】
また図１０（Ｂ）に示すように、第１摺動コマ１５の円筒部１５ａにおける後端側内周面には、複数条のリブ１５ｄが軸方向に沿って形成されており、この複数条のリブ１５ｄはシャープペンシルユニット７に取り付けられた後述する尾栓、もしくはボールペンリフィール等の後端部が圧入されて接続される保持部として機能する。
【００３５】
図１１は、前記した摺動コマ駆動ユニット１１を構成する第２摺動コマ１８を斜視図および断面図で示したものである。この第２摺動コマ１８には、前記したガイド筒１２内に摺動する円筒部１８ａと、この円筒部１８ａの側面に形成され、前記ガイド筒１２の割溝１２ｃに沿って移動するガイド突起１８ｂとが備えられ、ガイド突起１８ｂの前端側は尖形部１８ｃになされ、この尖形部１８ｃが前記第２カム部材１７の後述するカム面に摺動するように構成されている。
【００３６】
また、第２摺動コマ１８の円筒部１８ａに続いて小径部１８ｄが形成されており、この小径部１８ｄを取り巻くようにして前記した第２ばね部材１９の一端が装着される。
また、第２摺動コマ１８には前記小径部１８ｄに続いて円錐形の頭部を備えた突出体１８ｅが形成されており、この突出体１８ｅには、図１および図２に示すノック部２１が着脱可能に装着される。
【００３７】
図１２は、摺動コマ駆動ユニット１１を構成する第１カム部材１６の構成を示したものであり、（Ａ）は溝部を形成した周面を前側にした斜視図であり、（Ｂ）は同じく溝部を前側にした状態の正面図、また（Ｃ）は（Ｂ）に示す状態に対して軸回りに９０度回転させた状態で示す正面図である。
この第１カム部材１６は円筒状に形成され、その内周面１６ａが前記したガイド筒１２を軸芯にして軸方向に摺動可能に、かつガイド筒１２に対して相対的に回転可能となるように装着される。
【００３８】
また、前記した溝部１６ｂが第１カム部材１６の円筒面に直線状に形成されており、この溝部１６ｂには、前記摺動コマ駆動ユニット１１が後軸２内に収容された状態で、後軸２内に軸方向に沿って突出した直線状のリブ２ｂを収容するようにして配置される。これにより、第１カム部材１６は前記後軸２内を軸方向に沿って摺動されることになる。
【００３９】
さらに前記第１カム部材１６の溝部１６ｂが形成された円筒面の背面側には、図１２（Ｂ）および（Ｃ）に示すようにカム面が形成されている。
このカム面は、周方向に平坦なカム底面１６ｃと、当該カム底面に続いて周方向に沿って傾斜面にされたカム斜面１６ｄと、当該カム斜面に続いて周方向に平坦なカム頂面１６ｅとが備えられ、前記カム頂面１６ｅには凹状部１６ｆが形成されている。
【００４０】
図１３は、摺動コマ駆動ユニット１１を構成する第２カム部材１７の構成を示したものであり、（Ａ）はカム面の形成部分を前側にした斜視図であり、（Ｂ）は溝部を前側にした状態の正面図、また（Ｃ）は（Ｂ）に示す状態に対して軸回りに９０度回転させた状態で示す正面図である。
この第２カム部材１７は円筒状に形成され、その内周面１７ａが前記したガイド筒１２を軸芯にして軸方向に摺動可能に、かつガイド筒１２に対して相対的に回転可能となるように装着される。
【００４１】
また、溝部１７ｂが第２カム部材１７の円筒面に直線状に形成されており、この溝部１７ｂには、前記摺動コマ駆動ユニット１１が後軸２内に収容された状態で、後軸２内に軸方向に沿って突出した直線状のリブ２ｂを収容するようにして配置される。これにより、第２カム部材１７は前記した第１カム部材１６と共に、後軸２内を軸方向に沿って摺動されることになる。
【００４２】
さらに前記第２カム部材１７の溝部１７ｂが形成された円筒面の背面側には、カム面が形成されている。このカム面は周方向に平坦なカム底面１７ｃと、当該カム底面に続いて周方向に沿って傾斜面にされたカム斜面１７ｄと、当該カム斜面に続いて周方向に平坦なカム頂面１７ｅとが備えられ、前記カム頂面１７ｅには凹状部１７ｆが形成されている。
【００４３】
斯くして、図７および図８に示す構成の摺動コマ駆動ユニット１１は、図１および図２に示すように後軸２の後端部側から挿入されて後軸２内に装着される。
この場合、前記したように第１カム部材１６に形成された溝部１６ｂ、および第２カム部材１７に形成された溝部１７ｂ内に、後軸２の内周面に形成された直線状のリブ２ｂ（図６参照）が収容されるようにして装着される。
【００４４】
そして、図７および図８に示されている操作部３の小径部３ａに形成された環状のリブ３ｂが、後軸２の後端部内面に形成された環状のリブ２ｃの奥側に入り込むように、摺動コマ駆動ユニット１１を押し込むことで、前記操作部３は回動可能にして、かつ摺動コマ駆動ユニット１１が脱落しないように後軸２内に装着される。
【００４５】
図１４は筆記体として使われるシャープペンシルユニット７の一例を示したものであり、（Ａ）は外観図で（Ｂ）は断面図で示している。
このシャープペンシルユニット７は、図１４（Ａ）に示すように、先端に筆記部７ａを備えた先部材７ｂと、この先部材７ｂに接続された芯ケース７ｃと、前記先部材７ｂと芯ケース７ｃとの間に配置されたチャックばね７ｄを備えている。
【００４６】
また、前記芯ケース７ｃの後端部には尾栓７ｅが取り付けられ、この尾栓７ｅが前記した摺動コマ駆動ユニット１１における第１摺動コマ１５の円筒部１５ａ内（図１０参照）に圧入されて接続される。
前記シャープペンシルユニット７の内部には、図１４（Ｂ）に示すように、筆記芯７ｇを保持する金属製のチャック７ｊ、このチャック７ｊを取り囲む環状の締め具７ｋ、筆記芯を一時的に保持するゴム製の保持チャック７ｎなどが備えられている。
【００４７】
次に、以上説明した構成のシャープペンシルについての動作を説明する。
すでに説明したとおり、この発明に係るシャープペンシルは、図１および図２に示すように、筆記部７ａおよびノック部２１が軸筒内に収容された第２状態、筆記部７ａおよびノック部２１が軸筒の前後に突出した第１状態が操作部３の回転操作により選択できるように構成され、前記第１状態においてノック部２１をノック操作することで、筆記部７ａより筆記芯が繰り出されるように作用する。
【００４８】
前記筆記部７ａおよびノック部２１が軸筒内に収容された図１に示す第２状態においては、すでに説明した摺動コマ駆動ユニット１１は、図７に示す状態になされている。すなわち、第１摺動コマ１５における尖形部１５ｃ（図１０参照）は、第１カム部材１６におけるカム底面１６ｃとカム斜面１６ｄとの交差部分（図１２参照）に位置するようになされている。
また、第２摺動コマ１８における尖形部１８ｃ（図１１参照）は、第２カム部材１７におけるカム底面１７ｃとカム斜面１７ｄとの交差部分（図１３参照）に位置するようになされている。
【００４９】
すなわち、第１摺動コマ１５および第２摺動コマ１８は、互いに接近した状態になされており、これにより図１に示したとおり、第１摺動コマ１５に取り付けられたシャープペンシルユニット７における筆記部７ａは先軸１内に収容され、第２摺動コマ１８に取り付けられたノック部２１も後軸２内に収容されている。
【００５０】
この状態において、軸筒の後端部に配置された前記操作部３を右回転させると、ガイド筒１２も同方向に回転し、ガイド筒１２の割溝１２ｃに収容された第１および第２摺動コマの尖形部１５ｃおよび１８ｃも同方向への回転駆動を受ける。
一方、前記尖形部１５ｃおよび１８ｃがそれぞれ摺動されるカム面を有する前記第１カム部材１６および第２カム部材１７は、前記したとおり軸方向にのみ摺動し、軸方向には回転しない。
【００５１】
したがって、前記第１および第２摺動コマの尖形部１５ｃおよび１８ｃは、前記第１および第２ばね部材１４，１９を圧縮しつつ、第１および第２カム部材１６，１７におけるカム斜面１６ｄ，１７ｄに沿ってせり上る。
そして、前記各尖形部１５ｃ，１８ｃは、第１および第２カム部材１６，１７における周方向に平坦なカム頂面１６ｅ，１７ｅに至り、続いて各尖形部１５ｃ，１８ｃは、それぞれのカム頂面に形成された凹状部１６ｆ，１６ｆに落ち込む。
【００５２】
この状態においては、第１摺動コマ１５および第２摺動コマ１８は、互いに離れた状態になされ、これにより図２に示したとおり、第１摺動コマ１５に取り付けられたシャープペンシルユニット７における筆記部７ａは先軸１から突出され、第２摺動コマ１８に取り付けられたノック部２１も後軸２から突出した第１状態になされる。
そして、この第１状態を選択した後に、前記操作部３を今度は左回転させると、前記した動作と逆の経過をたどって第２状態になされ、図１に示した状態に戻される。
【００５３】
なお、前記した第１および第２カム部材１６，１７における周方向に平坦なカム頂面１６ｅ，１７ｅには、それぞれ凹状部１６ｆ，１６ｆが形成され、これに第１および第２摺動コマの各尖形部１５ｃ，１８ｃが落ち込むように構成されている。
これにより、軸筒の前後に筆記部７ａおよびノック部２１を突出させる第１状態を選択した時には、操作部３の回動操作に程よいクリック感がもたらされ、前記第１状態に至ったことを感触として受け取ることができる。
【００５４】
ここで、前記した第１状態を選択した状態において、軸筒の後端部に突出したノック部２１をノック操作すると、このノック操作による前進動作が図８に示す状態の第２摺動コマ１８、第２カム部材１７、第１カム部材１６、第１摺動コマ１５に順次伝達され、第１摺動コマ１５に取り付けられた前記シャープペンシルユニット７を後端側から押し出すように作用する。
【００５５】
前記した作用によりシャープペンシルユニット７は、前記口先部材６と共に前進して先軸１より突出するものの、その途中で前記口先部材６の鍔状部材６ｄが、前記した先筒５の内周面に形成された段部５ｆに当接し、口先部材６の前進移動は停止される。
そこで、シャープペンシルユニット７の先部材７ｂに形成された段部７ｆ（図１４参照）が、口先部材６内の環状の当接部６ｂに当接して前進動作が拒まれる。これにより、図１４に示すチャック７ｊがチャックばね７ｄを圧縮しながら先部材７ｂ内を前進し、筆記芯７ｇの繰り出しがなされる。
すなわち、前記したノック部２１のノック操作を繰り返すことで、筆記部７ａより筆記芯７ｇが順次繰り出されることになる。
【００５６】
以上説明した実施の形態によると、第１と第２のカム部材、第１と第２の摺動コマの対称的な組み合わせにより、筆記部およびノック部の突出動作およびその戻し動作を実現させることができ、また前記した主要な構成部分が前記シャープペンシルユニットと共にノック部のノック操作に応じて前後動するように構成されているので、筆記部からの筆記芯の円滑な繰り出し動作が実現できるなど、前記した発明の効果の欄に記載した作用効果を得ることができる。
【００５７】
なお以上説明した実施の形態においては、第１と第２のカム部材１６，１７が、後軸２内において軸方向に沿ってのみ移動できるようにするために、後軸２内に直線状のリブ２ｂを施し、第１と第２のカム部材１６，１７にそれぞれ溝部１６ｂ，１７ｂを施した構成にされているが、前記後軸２内に直線状の溝部を形成し、第１と第２のカム部材１６，１７にそれぞれ直線状のリブを形成するようにしても同様の作用効果を得ることができる。
【００５８】
また以上説明した実施の形態においては、筆記体としてシャープペンシルユニット７を利用する場合について説明したが、筆記体としてボールペンリフィールを利用することもできる。
図１５はボールペンリフィール２３の一例を示したものであり、（Ａ）は外観図で（Ｂ）は断面図で示している。このボールペンリフィール２３は周知のとおり、筆記部としてボールペンチップ２３ａが備えられ、その後端側にはインク２３ｃを収容したインク収容管２３ｂが取り付けられている。
【００５９】
前記したボールペンリフィール２３を利用する場合には、インク収容管２３ｂの後端部を前記した摺動コマ駆動ユニット１１における第１摺動コマ１５の円筒部１５ａ内（図１０参照）に圧入することで取り付けることができる。
この状態で、前記した操作部３を右回転させると、ボールペンリフィール２３の筆記部（ボールペンチップ２３ａ）を軸筒の前端部から突出させることができ、ボールペンリフィール２３による筆記が可能となる。
【００６０】
ところで、前記したシャープペンシルユニット７またはボールペンリフィール２３は、いずれもリフィール収納容器に収納された状態で提供される。このリフィール収納容器は、例えば特開２０１０−１２０６８４号公報に開示されているように、容器本体と、この容器本体の開口部を着脱可能に覆うキャップより構成されている。
そこで、前記リフィール収納容器のキャップを前記したノック部２１として取り付け可能にとなるように寸法を合わせて提供する商形態が考えられる。
【００６１】
すなわち、前記したシャープペンシルユニットやボールペンリフィールに応じて、またボールペンリフィールの中でもインク色に応じて、前記リフィール収納容器のキャップの色などを特定しておき、リフィールの交換と同時に前記キャップをノック部２１として交換して利用することで、現在使用されている筆記体を容易に識別することができる筆記具を提供することができる。
【００６２】
さらに、ノック部２１の材質を消しゴムと略同等の材料で形成し筆記体をシャープペンシルにした場合は、ノック部２１で筆記描線を消去することができたり、ゴム、エラストマー等のゴム弾性材料で形成し筆記体を摩擦熱等で変色する熱変色性インクや消しゴムの摩擦で剥離する消しゴム消去性インク等を収納したボールペンにした場合でも、ノック部２１で筆記描線を擦る事で比較的容易に変色又は消去することができる。
【符号の説明】
【００６３】
１      先軸（軸筒）
２      後軸（軸筒）
３      操作部
５      先筒
６      口先部材
７      シャープペンシルユニット
８      ばね部材
１１    摺動コマ駆動ユニット
１２    ガイド筒
１２ｃ  割溝
１４    第１ばね部材
１５    第１摺動コマ
１５ｃ  尖形部
１６    第１カム部材
１６ｃ  カム底面
１６ｄ  カム斜面
１６ｅ  カム頂面
１６ｆ  凹状部
１７    第２カム部材
１７ｃ  カム底面
１７ｄ  カム斜面
１７ｅ  カム頂面
１７ｆ  凹状部
１８    第２摺動コマ
１８ｃ  尖形部
１９    第２ばね部材
２１    ノック部
２３    ボールペンリフィール
【図１】
2013039743.tif 000003
【図２】
2013039743.tif 000004
【図３】
2013039743.tif 000005
【図４】
2013039743.tif 000006
【図５】
2013039743.tif 000007
【図６】
2013039743.tif 000008
【図７】
2013039743.tif 000009
【図８】
2013039743.tif 000010
【図９】
2013039743.tif 000011
【図１０】
2013039743.tif 000012
【図１１】
2013039743.tif 000013
【図１２】
2013039743.tif 000014
【図１３】
2013039743.tif 000015
【図１４】
2013039743.tif 000016
【図１５】
2013039743.tif 000017